(57)【要約】【課題】バンド掛け部の破損やバンドの擦り切れを防止するロール保持盤を提供する。【解決手段】ロール保持盤１は、ロール状の保持対象物１００の端側平面１０２と対向する平板部１０と、平板部１０の略中央に設けられ、保持対象物１００の芯材１０４を支持する芯材支持部２０と、平板部１０の厚み方向Ｄへ延びることによって平板部１０の周面を構成する側壁部４０と、平板部１０から平板部１０の厚み方向Ｄへ凹んだ凹部５０と、バンドＢが掛けられるバンド掛け部７０とを備える。凹部５０は、平板部１０の厚み方向Ｄに平行な凹部側壁５２と、凹部側壁５２の端面４０Ａの側で凹部側壁５２に連なる凹部底壁５４と、凹部側壁５２と凹部底壁５４とに亘って形成され、凹部５０の外方へ張り出した曲面部５６とを備える。バンド掛け部７０は、凹部側壁５２、凹部底壁５４、及び曲面部５６で構成される。【選択図】図９
2020132216.tif 000002
【特許請求の範囲】
【請求項１】
ロール状の保持対象物の端側平面と対向する平板部と、
前記平板部の略中央に設けられ、前記保持対象物の芯材を支持する芯材支持部と、
前記平板部の厚み方向へ延びることによって前記平板部の周面を構成する側壁部と、
前記平板部から前記平板部の厚み方向へ凹んだ凹部と、
バンドが掛けられるバンド掛け部とを備え、
前記凹部は、
前記平板部の厚み方向に略平行な凹部側壁と、
前記凹部側壁の端面の側で前記凹部側壁に連なる凹部底壁と、
前記凹部側壁と前記凹部底壁とに亘って形成され、前記凹部の外方へ張り出した曲面部とを備え、
前記バンド掛け部は、前記凹部側壁、前記凹部底壁、及び前記曲面部で構成されることを特徴とするロール保持盤。
【請求項２】
前記凹部側壁は、前記側壁部の一部である凹部兼用壁を備え、
前記凹部は、前記凹部兼用壁の端面又は前記端面の近傍まで前記平板部の厚み方向へ凹んでいることを特徴とする請求項１に記載のロール保持盤。
【請求項３】
前記凹部側壁は、
前記側壁部に対向する凹部対向壁と、
前記凹部側壁と前記凹部対向壁とを連結する凹部連結壁とを備えることを特徴とする請求項１又は請求項２に記載のロール保持盤。
【請求項４】
前記平板部は、
前記保持対象物の前記端側平面と対向する側とは反対側の外面において格子状に立設された格子リブと、
前記外面の略中央に立設された円状リブと、
前記格子リブの一部であって、前記円状リブと前記凹部対向壁との間に渡設された連結リブとを備えることを特徴とする請求項３に記載のロール保持盤。
【請求項５】
前記平板部の隅において、前記平板部の厚み方向に沿って設けられた脚部を備え、
前記脚部の一部が前記凹部連結壁であることを特徴とする請求項３又は請求項４に記載のロール保持盤。
【請求項６】
前記平板部は、前記保持対象物の前記端側平面と向かい合う対向領域が一又は複数の平坦領域で構成されることを特徴とする請求項１乃至請求項５のいずれか一つに記載のロール保持盤。
【発明の詳細な説明】
【技術分野】
【０００１】
本発明は、ロール保持盤に関するものである。
【背景技術】
【０００２】
従来より、バンド掛けが行われるロール保持盤に関し、種々の技術が提案されている。例えば、下記特許文献１に記載のロール製品用プロテクターは、広幅の帯状製品を中空心部に巻回してなるロール製品を輸送・保管するためのプロテクターにおいて、裏面で前記ロール製品の端面を押える方形の基板部と、前記ロール製品の中空心部の中空孔に挿入可能に前記基板部の裏面中央に突設した円筒部からなり該円筒部内周に複数個の補強リブを軸方向に設けたロール製品支持用円筒部と、前記基板部の裏面四角に突設した、三角形の断面形状を有する筒状体からなる段積み用脚部と、該脚部の先端を挿入可能に前記基板部の表面四角に設けた段積み用凹部とを具備してなる硬質合成樹脂成形体であって、前記基板部の各辺長を前記ロール製品の外径よりも長くするとともに、前記脚部の脚長を前記円筒部の全長よりも長くしたことを特徴とするものである。また、前記基板部の各側面中央に梱包用バンド溝を設けると、輸送や保管中の荷崩れを防止することができる。
【０００３】
上記構成のプロテクターをロール製品に適用するには、一対のプロテクターの基板部裏面でロール製品の両端面を押えて挟持するとともに、円筒部をロール製品の中空心部の中空孔に挿入してロール製品を支持し、必要に応じ、バンド溝に２本の梱包用バンドを十字状に掛けて全体を緊締する。この作業は、基板部と円筒部とが一体成形されているので簡単である。このようにプロテクターを適用したロール製品は、水平状態に段積みした時、上段のプロテクターの基板部及び脚部の下面が対応する下段のプロテクターの基板部及び脚部の上面に載る。そのため、ロール製品どうしが水平方向に少々ずれても荷崩れするおそれはない。使用しないプロテクターは、段積みして輸送・保管する。その際、上段のプロテクターの脚部先端を下段のプロテクターの基板部表面に設けた凹部に挿入し、必要に応じて、バンド溝に梱包用バンドを掛けて全体を緊締しておく。これにより、プロテクターどうしのずれがなくなり、荷崩れが防止される。なお、プロテクターは、硬質合成樹脂からなるので耐久性に富む。
【先行技術文献】
【特許文献】
【０００４】
【特許文献１】登録実用新案第２６０４９０７号公報
【発明の概要】
【発明が解決しようとする課題】
【０００５】
しかしながら、梱包用バンドは、全体を緊締するために、バンド溝に掛けられると、バンド溝内にある基板部の角部分で擦り切れる虞があった。また、バンド溝内にある基板部の角部分が、梱包用バンドで変形して破損する虞があった。
【０００６】
そこで、本発明は、上述した点を鑑みてなされたものであり、バンド掛け部の破損やバンドの擦り切れを防止するロール保持盤を提供することを課題とする。
【課題を解決するための手段】
【０００７】
この課題を解決するためになされた請求項１に係る発明は、ロール保持盤であって、ロール状の保持対象物の端側平面と対向する平板部と、平板部の略中央に設けられ、保持対象物の芯材を支持する芯材支持部と、平板部の厚み方向へ延びることによって平板部の周面を構成する側壁部と、平板部から平板部の厚み方向へ凹んだ凹部と、バンドが掛けられるバンド掛け部とを備え、凹部は、平板部の厚み方向に略平行な凹部側壁と、凹部側壁の端面の側で凹部側壁に連なる凹部底壁と、凹部側壁と凹部底壁とに亘って形成され、凹部の外方へ張り出した曲面部とを備え、バンド掛け部は、凹部側壁、凹部底壁、及び曲面部で構成されることを特徴とする。
【０００８】
請求項２に係る発明は、請求項１に記載のロール保持盤であって、凹部側壁は、側壁部の一部である凹部兼用壁を備え、凹部は、凹部兼用壁の端面又は端面の近傍まで平板部の厚み方向へ凹んでいることを特徴とする。
【０００９】
請求項３に係る発明は、請求項１又は請求項２に記載のロール保持盤であって、凹部側壁は、側壁部に対向する凹部対向壁と、凹部側壁と凹部対向壁とを連結する凹部連結壁とを備えることを特徴とする。
【００１０】
請求項４に係る発明は、請求項３に記載のロール保持盤であって、平板部は、保持対象物の端側平面と対向する側とは反対側の外面において格子状に立設された格子リブと、外面の略中央に立設された円状リブと、格子リブの一部であって、円状リブと凹部対向壁との間に渡設された連結リブとを備えることを特徴とする。
【００１１】
請求項５に係る発明は、請求項３又は請求項４に記載のロール保持盤であって、平板部の隅において、平板部の厚み方向に沿って設けられた脚部を備え、脚部の一部が凹部連結壁であることを特徴とする。
【００１２】
請求項６に係る発明は、請求項１乃至請求項５のいずれか一つに記載のロール保持盤であって、平板部は、保持対象物の端側平面と向かい合う対向領域が一又は複数の平坦領域で構成されることを特徴とする。
【発明の効果】
【００１３】
請求項１に係る発明のロール保持盤において、ロール状の保持対象物が保持される際は、平板部に保持対象物の端側平面を対向させると共に、芯材支持部で保持対象物の芯材を支持させた状態で、バンド掛け部にバンドが掛けられる。バンド掛け部を構成する曲面部は、その掛けられたバンドが圧接するものであるが、凹部側壁と凹部底壁とに亘って形成され、凹部の外方へ張り出した、比較的大きな曲面である。これにより、請求項１に係る発明のロール保持盤は、バンド掛け部の破損やバンドの擦り切れを防止する。
【００１４】
請求項２に係る発明のロール保持盤において、凹部側壁は、側壁部の一部である凹部兼用壁を備えており、側壁部の外方からバンド掛け部にバンドが掛けられるため、バンドを掛けることが容易である。
【００１５】
請求項３に係る発明のロール保持盤において、バンド掛け部を構成する曲面部が形成された凹部側壁は、側壁部に対向する凹部対向壁と、凹部側壁と凹部対向壁とを連結する凹部連結壁とを備えている。これにより、請求項３に係る発明のロール保持盤において、バンド掛け部は、強度が高まるので、バンドが掛けられることによって力が作用しても、変形・破損し難い。
【００１６】
請求項４に係る発明のロール保持盤では、平板部の外面に設けられた格子リブ、円状リブ、及び連結リブによって、バンド掛け部の強度が一層に高まるので、バンド掛け部が変形・破損し難い。
【００１７】
請求項５に係る発明のロール保持盤では、平板部の隅において、凹部連結壁が、平板部の厚み方向に沿って設けられた脚部の一部である。そのため、バンド掛け部に対して、バンドが掛けられることによって力が作用しても、その力は、凹部連結壁を介して、脚部に分散される。よって、請求項６に係る発明のロール保持盤では、バンド掛け部の変形等が抑制される。
【００１８】
請求項６に係る発明のロール保持盤では、平板部において、保持対象物の端側平面と向かい合う対向領域が一又は複数の平坦領域で構成されるので、保持対象物の端側平面が傷つくことが防止される。
【図面の簡単な説明】
【００１９】
【図１】本実施形態のロール保持盤で保持対象物を保持する際の状態が表された斜視図である。
【図２】同ロール保持盤の平板部が表された斜視図である。
【図３】同ロール保持盤の平板部が表された斜視図である。
【図４】同ロール保持盤の平板部の外面が表された斜視図である。
【図５】図４の枠Ａが表された拡大図である。
【図６】同ロール保持盤の平板部の外面が表された平面図である。
【図７】同ロール保持盤の平板部が表された平面図である。
【図８】同ロール保持盤を段積みで使用した状態の一例が表された斜視図である。
【図９】同ロール保持盤の使用状態の一例を図８の線Ｃ−Ｃに相当する線で切断した断面が表された斜視図である。
【図１０】図９の使用状態にあるロール保持盤を図８の線Ｃ−Ｃに相当する線で切断した断面が表された図である。
【図１１】同ロール保持盤が積み重ねられた状態で表された斜視図である。
【図１２】図１１の積み重ね状態にある同ロール保持盤を図１１の線Ｅ−Ｅで切断した断面が表された図である。
【図１３】同ロール保持盤の変更例が表された斜視図である。
【発明を実施するための形態】
【００２０】
以下、本発明に係るロール保持盤について、具体化した本実施形態に基づき、図面を参照しつつ説明する。
【００２１】
図１に表されたように、本実施形態のロール保持盤１は、ロール状の保持対象物１００をその端側平面１０２から一対で挟んだ状態で保持するものであって、ポリプロピレン等の樹脂を材料として金型成形されたものである。保持対象物１００は、円筒状の芯材１０４に対して、例えば、フィルム等が巻回されたものである。芯材１０４は、保持対象物１００において、端側平面１０２から突出している。
【００２２】
尚、図１乃至図４、図８乃至図１１、及び図１３において、符号Ｄの方向は、後述する平板部１０の厚み方向を示している。
【００２３】
図２及び図３に表されたように、本実施形態のロール保持盤１は、平板部１０、芯材支持部２０、脚部３０、側壁部４０、及び凹部５０等を備えている。平板部１０は、その厚み方向Ｄから視て、略正方形状をなしている。芯材支持部２０は、円筒形状をなしており、平板部１０の略中央において、平板部１０の厚み方向Ｄへ突出して設けられている。脚部３０は、平板部１０の四隅において、芯材支持部２０と同じ方向へ突出して設けられている。つまり、脚部３０は、平板部１０の厚み方向Ｄに沿って設けられている。脚部３０には、平板部１０の厚み方向Ｄから視て、半円状の平面凸部３１が突設されている。これにより、脚部３０は、本実施形態のロール保持盤１の自立安定性を確保している。
【００２４】
側壁部４０は、平板部１０の四辺において、芯材支持部２０及び脚部３０の突出方向とは反対方向へ延びることによって、平板部１０の周面を構成している。つまり、側壁部４０は、平板部１０の厚み方向Ｄへ延びている。側壁部４０は、側凸部４２、側凹部４４、溝４６、及び側平部４８を含んでいる。側凸部４２は、側壁部４０において、平板部１０の外方へ突出した部位である。側凹部４４は、側壁部４０において、平板部１０の内方へ凹んだ部位である。溝４６は、側壁部４０において、平板部１０の厚み方向Ｄに沿って設けられた細長い凹みの部位である。側平部４８は、側壁部４０において、平板部１０の厚み方向Ｄに沿って設けられた平らな部位である。
【００２５】
凹部５０は、平板部１０から平板部１０の厚み方向Ｄへ凹んだものである。凹部５０は、平板部１０の四辺において、各辺の略中央の位置と、各辺の両端側の脚部３０に隣接する位置に設けられている。脚部３０に隣接する凹部５０において、平板部１０の外方側に位置する側凸部４２は、溝４６を兼用している。
【００２６】
尚、以下の説明では、平板部１０の厚み方向Ｄを、「厚み方向Ｄ」と略記することがある。
【００２７】
図４乃至図６に表されたように、凹部５０は、凹部側壁５２、凹部底壁５４、及び曲面部５６を備えている。凹部側壁５２は、厚み方向Ｄに平行な壁であって、凹部兼用壁５２Ａ、凹部対向壁５２Ｂ、及び一対の凹部連結壁５２Ｃを備えている。凹部兼用壁５２Ａは、側壁部４０の一部であって、側壁部４０の側凸部４２又は溝４６を兼用している。凹部対向壁５２Ｂは、凹部兼用壁５２Ａに対して、本実施形態のロール保持盤１の内方側で対向するようにして設けられたものである。一対の凹部連結壁５２Ｃは、凹部兼用壁５２Ａと凹部対向壁５２Ｂとを厚み方向Ｄに沿って連結するようにして設けられたものである。
【００２８】
凹部底壁５４は、芯材支持部２０及び脚部３０の突出方向とは反対方向に位置する側壁部４０（凹部側壁５２）の端面４０Ａの側において、凹部側壁５２（つまり、凹部兼用壁５２Ａ、凹部対向壁５２Ｂ、及び一対の凹部連結壁５２Ｃ）に連なるようにして設けられたものである。曲面部５６は、凹部５０の外方へ張り出すように曲がった壁であって、凹部側壁５２の凹部兼用壁５２Ａと凹部底壁５４とに亘って設けられたものである。このようにして、凹部５０は、側壁部４０の端面４０Ａまで凹んでいるが、側壁部４０の端面４０Ａの近傍まで凹んでいてもよい。
【００２９】
脚部３０は、その内部において、脚部３０の突出方向へ凹んだ脚凹部３２が設けられている。脚凹部３２（つまり、脚部３０）を形成する壁の一部は、一対の凹部連結壁５２Ｃの一方を構成している。
【００３０】
バンド掛け部７０は、側壁部４０の一部（つまり、凹部５０の凹部側壁５２の凹部兼用壁５２Ａ）、凹部底壁５４、及び曲面部５６で構成されるものである。
【００３１】
外面１２は、上記の平板部１０の裏面である。外面１２には、格子リブ１４Ａ、円状リブ１４Ｂ、連結リブ１４Ｃ、及び斜めリブ１４Ｄ等が、芯材支持部２０及び脚部３０の突出方向とは反対方向へ突出するようにして垂設されている。格子リブ１４Ａは、縦リブと横リブとが交差した状態で設けられたものである。円状リブ１４Ｂは、外面１２の略中央に設けられたものであって、円筒状をなし、芯材支持部２０に略連なっている。連結リブ１４Ｃは、格子リブ１４Ａの一部であって、円状リブ１４Ｂと、側壁部４０の略中央に位置する凹部５０の凹部対向壁５２Ｂとの間に渡し設けられたものである。斜めリブ１４Ｄは、円状リブ１４Ｂと脚部３０との間に渡し設けられたものである。
【００３２】
図７に表されたように、平板部１０には、ドーナツ状の対向領域１６が含まれている。対向領域１６は、平らな面が連続した平坦領域であって、本実施形態のロール保持盤１で保持対象物１００が保持された際において、保持対象物１００の端側平面１０２が向かい合うものである。対向領域１６は、各バンド掛け部７０（及び凹部５０）から距離的に離間している。
【００３３】
尚、上記の外面１２は、上述したように、平板部１０の裏面であるので、平板部１０において、保持対象物１００の端側平面１０２と対向する側とは反対側にある。
【００３４】
本実施形態のロール保持盤１は、例えば、図８に表されたように、２個の保持対象物１００を段積み状態で保持することが可能である。あるいは、図９及び図１０に表されたように、本実施形態のロール保持盤１は、１個の保持対象物１００を保持することが可能である。そのためには、本実施形態のロール保持盤１は、平板部１０の厚み方向Ｄが保持対象物１００の芯材１０４の円筒高さ方向に沿った状態において、芯材支持部２０が保持対象物１００の芯材１０４に嵌入され、平板部１０が保持対象物１００の芯材１０４に当接又は近接するまで、保持対象物１００の端側平面１０２に向けて移動させられる。これにより、芯材支持部２０が保持対象物１００の芯材１０４を支持すると共に、平板部１０の対向領域１６が保持対象物１００の端側平面１０２と距離的に離間した状態で対向する。
【００３５】
このようにして、保持対象物１００は、一対のロール保持盤１で挟まれる。更に、一対のロール保持盤１の間では、各側壁部４０の略中央において、相対するバンド掛け部７０にバンドＢが掛け渡される。これにより、バンド掛け部７０を構成する側壁部４０の一部（つまり、凹部５０の凹部側壁５２の凹部兼用壁５２Ａ）、凹部底壁５４、及び曲面部５６には、バンドＢが圧接した状態で掛けられるので、保持対象物１００は、一対のロール保持盤１に挟まれた状態で緊締される。もっとも、バンドＢは、各側壁部４０の端側（脚部３０の側）において、相対するバンド掛け部７０に掛け渡されてもよい。
【００３６】
尚、保持対象物１００は、一対のロール保持盤１に挟まれた状態で、段ボールで梱包されてもよい。そのような場合には、保持対象物１００は、一対のロール保持盤１によって、段ボール内で浮いた状態になるので、外部からの衝撃から保護され、傷付きが防止される。
【００３７】
上記の図８に表されたように、本実施形態のロール保持盤１が２個の保持対象物１００を段積み状態で保持する場合には、上段のロール保持盤１と下段のロール保持盤１との間において、バンドＢが掛け渡される。更に、上段のロール保持盤１と下段のロール保持盤１との間において、側壁部４０の側凸部４２及び側凹部４４が嵌合することによって、段積み状態のガタつきが防止される。この点は、本実施形態のロール保持盤１が３個以上の保持対象物１００を段積み状態で保持する場合も同様である。また、本実施形態のロール保持盤１が複数個の保持対象物１００を左右方向に並べた状態で保持する場合も同様である。
【００３８】
本実施形態のロール保持盤１は、例えば、図１１及び図１２に表されたようにして、厚み方向Ｄが上下方向に沿った状態で積み重ねられることが可能である。尚、以下の説明では、図１１及び図１２で示すように、上側のロール保持盤に関する符号には「Ｘ」を付し、下側のロール保持盤に関する符号には「Ｙ」を付す。
【００３９】
上側のロール保持盤１Ｘが下側のロール保持盤１Ｙに積み重ねられると、上側のロール保持盤１Ｘの脚部３０Ｘの脚凹部３２Ｘに対して、下側のロール保持盤１Ｙの脚部３０Ｙの平面凸部３１が入り込む。その際、上側のロール保持盤１Ｘの脚部３０Ｘでは、脚凹部３２Ｘの壁面及び脚凹部３２Ｘの壁面から互いに直交する方向において脚部３０Ｘの内方へ突出する２個の規制リブ３４Ｘの端面が、下側のロール保持盤１Ｙの脚部３０Ｙの平面凸部３１に近接する。これにより、上側のロール保持盤１Ｘと下側のロール保持盤１Ｙとが積み重ねられた状態において、上側のロール保持盤１Ｘと下側のロール保持盤１Ｙの相対的な位置決めがなされると共に、ガタつきが防止される。この点は、図１１及び図１２に表された上側のロール保持盤１Ｘと下側のロール保持盤１Ｙの積み重ね状態が、上下方向で逆さまになっても、同様である。
【００４０】
以上詳細に説明した通り、本実施形態のロール保持盤１において、ロール状の保持対象物１００が保持される際は、平板部１０に保持対象物１００の端側平面１０２を対向させると共に、芯材支持部２０で保持対象物１００の芯材１０４を支持させた状態で、バンド掛け部７０にバンドＢが掛けられる。バンド掛け部７０を構成する曲面部５６は、その掛けられたバンドＢが圧接するものであるが、凹部側壁５２（の凹部兼用壁５２Ａ）と凹部底壁５４とに亘って形成され、凹部５０の外方へ張り出した、比較的大きな曲面である。これにより、本実施形態のロール保持盤１は、バンド掛け部７０の破損やバンドＢの擦り切れを防止している。
【００４１】
この点、バンドＢが圧接する部位は、凹部側壁５２と凹部底壁５４とに及ぶ場合もある。しかしながら、そのような場合であっても、凹部側壁５２と凹部底壁５４は、図５及び図９等に表されたように、平面を有する壁で構成されているため、曲面部５６と協働するようにして、バンドＢの擦り切れを防止している。
【００４２】
本実施形態のロール保持盤１において、凹部側壁５２は、側壁部４０の一部である凹部兼用壁５２Ａを備えており、側壁部４０の外方からバンド掛け部７０にバンドＢが掛けられるため、バンドＢを掛けることが容易である。
【００４３】
本実施形態のロール保持盤１において、バンド掛け部７０を構成する曲面部５６が形成された凹部側壁５２は、側壁部４０（の一部である凹部兼用壁５２Ａ）に対向する凹部対向壁５２Ｂと、側壁部４０（凹部兼用壁５２Ａ）と凹部対向壁５２Ｂとを連結する一対の凹部連結壁５２Ｃとによって、四面の枠で構成されている。これにより、本実施形態のロール保持盤１において、バンド掛け部７０は、強度が高まるので、バンドＢが掛けられることによって力が作用しても、変形・破損し難い。
【００４４】
本実施形態のロール保持盤１では、平板部１０の外面１２に設けられた格子リブ１４Ａ、円状リブ１４Ｂ、及び連結リブ１４Ｃによって、バンド掛け部７０の強度が一層に高まるので、バンド掛け部７０が変形・破損し難い。
【００４５】
本実施形態のロール保持盤１では、平板部１０の四隅において、凹部連結壁５２Ｃが、平板部１０の厚み方向Ｄに沿って設けられた脚部３０の一部になっている。そのため、バンド掛け部７０に対して、バンドＢが掛けられることによって力が作用しても、その力は、凹部連結壁５２Ｃを介して、脚部３０に分散される。これにより、本実施形態のロール保持盤１では、バンド掛け部７０の変形等が抑制されている。
【００４６】
本実施形態のロール保持盤１では、平板部１０において、保持対象物１００の端側平面１０２と向かい合う対向領域１６が一つの平坦領域で構成されているので、保持対象物１００の端側平面１０２が傷つくことが防止されている。
【００４７】
本実施形態のロール保持盤１では、対向領域１６が各バンド掛け部７０から距離的に離間しているので、各バンド掛け部７０に掛けられたバンドＢによって保持対象物１００が傷つくことがない。
【００４８】
本実施形態のロール保持盤１では、平板部１０に設けられた凹部５０によって、バンド掛け部７０に対応する部位の厚肉化が防止されている。これにより、ロール保持盤１の樹脂成形後の変形が防止されると共に、ロール保持盤１の軽量化が図られている。
【００４９】
尚、本発明は上記実施形態に限定されるものでなく、その趣旨を逸脱しない範囲で様々な変更が可能である。
例えば、図１３に表れたように、平板部１０の対向領域１６と芯材支持部２０との間において、ドーナツ状の台座部１１０が設けられてもよい。台座部１１０は、平板部１０から芯材支持部２０の突出方向へ突出するようにして設けられており、保持対象物１００の芯材１０４と当接又は近接することによって、保持対象物１００の芯材１０４と平板部１０とを距離的に離間させた状態にする。これにより、保持対象物１００（の端側平面１０２）と平板部１０との接触防止性が高められる。
【００５０】
また、ロール保持盤１（つまり、平板部１０）は、円形又はその他の多角形等であってもよい。平板部１０には、複数の貫通孔が設けられていてもよい。バンド掛け部７０は、側壁部４０以外に設けられていてもよい。格子リブ１４Ａ等のリブが、側壁部４０と凹部側壁５２の間にあってもよい。
【００５１】
また、対向領域１６は、例えば、複数の凹部を含むことによって、複数の平らな面（つまり、平坦領域）が連なったものであってもよい。
【００５２】
また、芯材支持部２０は、平板部１０の内方に入り込んだ湾入部であってもよいし、平板部１０に設けられた穴であってもよい。その穴は、貫通していてもよいし、貫通していなくてもよい。
【符号の説明】
【００５３】
１  ロール保持盤
１０  平板部
１２  外面
１４Ａ  格子リブ
１４Ｂ  円状リブ
１４Ｃ  連結リブ
１６  対向領域
２０  芯材支持部
３０  脚部
４０  側壁部
４０Ａ  端面
５０  凹部
５２  凹部側壁
５２Ａ  凹部兼用壁
５２Ｂ  凹部対向壁
５２Ｃ  凹部連結壁
５４  凹部底壁
５６  曲面部
７０  バンド掛け部
１００  保持対象物
１０２  端側平面
１０４  芯材
Ｂ  バンド
Ｄ  平板部の厚み方向
【図１】
2020132216.tif 000003
【図２】
2020132216.tif 000004
【図３】
2020132216.tif 000005
【図４】
2020132216.tif 000006
【図５】
2020132216.tif 000007
【図６】
2020132216.tif 000008
【図７】
2020132216.tif 000009
【図８】
2020132216.tif 000010
【図９】
2020132216.tif 000011
【図１０】
2020132216.tif 000012
【図１１】
2020132216.tif 000013
【図１２】
2020132216.tif 000014
【図１３】
2020132216.tif 000015